(57)【要約】【課題】先に収納されたシート状媒体の後端部分が、次に収納されるシート状媒体の進路を塞ぐことがない媒体収納装置を提案すること。【解決手段】小切手４を第１小切手収納部１１に送り込む第１送り込みローラ４９には、押さえローラ８０が押し付けられている。押さえローラ８０には、第１送り込みローラ４９に向けて付勢された押さえレバー８５が取り付けられている。小切手４の送り込み時に、小切手４と第１送り込みローラ４９の小切手挟み込み位置４９Ａを小切手４が通過し終えた後も、小切手４の後端部分４ｄが押さえレバー８５によって第１送り込みローラ４９に押し付けられているので、小切手４の送り込みが確実に行われる。小切手４の後端部分４ｄは押さえレバー８５によって横方向へ押されるので、当該後端部分４ｄが次に送り出されてくる小切手４の邪魔になることがない。【選択図】図１０
2008213988.tif 000002
【特許請求の範囲】
【請求項１】
シート状媒体を収納する媒体収納部と、
シート状媒体を前記媒体収納部内へ送り込むための送り込みローラと、
シート状媒体を前記送り込みローラに押し付けるための押さえローラと、
前記送り込みローラおよび前記押さえローラによるシート状媒体の挟み込み位置を通過した後のシート状媒体の部分を前記送り込みローラに向けて押し付けるための押さえレバーとを有していることを特徴とする媒体収納装置。
【請求項２】
前記押さえレバーを、前記押さえローラの回転軸を中心として、前記送り込みローラに対して接近および離間方向に回動可能に支持している支持板と、
前記押さえレバーを、前記送り込みローラに向けて付勢している付勢部材とを有していることを特徴とする請求項１に記載の媒体収納装置。
【請求項３】
前記押さえレバーは、その回動側の先端部分に、前記送り込みローラの外周面部分に対応する凹円弧状の押さえ面を備えており、
当該押さえ面は、前記挟み込み位置よりも送り込み方向の下流側の前記送り込みローラの外周面部分に対峙していることを特徴とする請求項２に記載の媒体収納装置。
【請求項４】
前記送り込みローラは、ローラ本体と、当該ローラ本体の両端に同軸状態に形成され、当該ローラ本体よりも大きな径の大径部分とを備えており、
前記送り込みローラの前記ローラ本体に前記押さえローラが押し付けられていることを特徴とする請求項１ないし３のうちのいずれかの項に記載の媒体収納装置。
【請求項５】
前記押さえローラは、そのローラ長が前記ローラ本体よりも短く、そのローラ径が前記ローラ本体よりも小さいことを特徴とする請求項４に記載の媒体収納装置。
【請求項６】
前記送り込みローラの前記大径部分には、その円周方向に沿って所定の間隔で突起が形成されていることを特徴とする請求項４または５に記載の媒体収納装置。
【請求項７】
前記挟み込み位置から前記媒体収納部に送り込まれるシート状媒体を、当該シート状媒体の送り込み方向に対して前記送り込みローラの側に傾斜した方向に導く傾斜ガイド面を有し、
前記媒体収納部は、前記傾斜ガイド面に連続して前記送り込み方向に平行な方向に延びている媒体ガイド面と、当該媒体収納部に送り込まれたシート状媒体を前記媒体ガイド面の側に押し付けるための媒体押さえ部材とを備えていることを特徴とする請求項１ないし６のうちのいずれかの項に記載の媒体収納装置。
【請求項８】
シート状媒体を搬送する搬送路と、
この搬送路に沿って搬送されるシート状媒体に担持されている情報を読み取るための情報読取手段と、
前記搬送路から排出される情報読取後のシート状媒体を収納するための媒体収納装置とを有し、
当該媒体収納装置は請求項１ないし７のうちのいずれかの項に記載の媒体収納装置であることを特徴とする媒体処理装置。
【発明の詳細な説明】
【技術分野】
【０００１】
本発明は、小切手処理装置に搭載される小切手収納装置等として用いられる、担持情報の読取処理、印刷処理などの処理が終了した後のシート状媒体を受け入れて収納するための媒体収納装置に関する。
【背景技術】
【０００２】
銀行などの金融機関においては、持ち込まれた小切手、手形などの小切手類（有価証券類）を小切手読取装置に投入して、表面画像および磁気インク文字を読み取り、読取結果に応じて小切手類の仕分け作業などを行っている。表面画像および磁気インク文字の読み取りは、小切手読取装置の搬送路を小切手が搬送される間に行なわれ、情報の読取が終了した小切手は、搬送路の出口部分に形成された小切手収納部に収納される。小切手収納部は細長い小切手の形状に対応した細長い箱型をしており、搬送されてきた小切手は、その一方の端側に配置された送り込みローラによって小切手収納部内へ送り出されて、収納される。このような小切手読取装置は特許文献１に開示されている。
【０００３】
ここで、小切手は、細長い縦溝によって規定される搬送路に沿って立った状態で搬送されながら担持情報の読取などの処理が行われ、処理後の小切手は立った状態のまま送り込みローラによって小切手収納部に送り込まれ、そこに収納される。小切手収納部は、垂直ガイド面と、送り込まれた小切手を当該垂直ガイド面に押し付けるための押し付け板が配置されている。立った状態のままで送り込みローラによって小切手収納部に送り込まれる小切手は、押し付け板を押し退けながら、すでに収納されている小切手と押し付け板の間に入り込む。このようにして、小切手収納部に送り込まれた小切手は、垂直ガイド板と押し付け板の間に立った状態のままで重なった状態で収納される。
【０００４】
したがって、小切手を小切手収納部に送り込む際には、押し付け板との間で摺動負荷が発生する。また、既に送り込まれている小切手の表面との間で摺動負荷が発生する。小切手を確実に小切手収納部に送り込むことができるようにするには、送り込みローラの外周面には小切手送り出し用の凹凸状の係合突起を形成しておけばよい。送り込みローラと押さえローラによる挟み込み位置を通過し終えた小切手は、その後端に係合している送り込みローラの係合突起によって更に送り込まれ、確実に収納位置に至ることができる。係合突起が形成された送り込みローラで小切手を小切手収納部に送り込む小切手読取装置は、例えば、特許文献２に記載されている。
【特許文献１】特開２００４−２０６３６２号公報
【特許文献２】特開２００５−１６１８４４号公報
【発明の開示】
【発明が解決しようとする課題】
【０００５】
しかしながら、薄い小切手の場合や腰の弱い小切手の場合には、このような摺動負荷に耐えられずに座屈して、折れ曲がり、撓みが発生しやすい。特に、送り込みローラの係合突起によって押されている小切手の後端部分が、当該小切手に作用する負荷に耐え切れずに横方に座屈して、送り込みローラの係合突起から横方に外れ易い。このため、小切手を十分に送り込めないことがある。
【０００６】
小切手を十分に送り込めないと、小切手が収納位置に完全に収納されずに、その後端部分が送り込みローラの側に突出した状態になる。この後端部分には折れ曲がりなどが発生していることが多い。このような状態になると、突出している小切手の後端が後続の小切手の進路を塞ぎ、後続の小切手を収納位置まで送り込まめなくなる可能性が高い。
【０００７】
本発明の課題は、このような点に鑑みて、収納されているシート状媒体の後端部分が次に収納されるシート状媒体の進路を塞ぐことがないように、シート状媒体の送り込み動作を確実に行うことのできる媒体収納装置を提案することにある。
【課題を解決するための手段】
【０００８】
上記の課題を解決するために、本発明の媒体収納装置は、
シート状媒体を収納する媒体収納部と、
シート状媒体を前記媒体収納部内へ送り込むための送り込みローラと、
シート状媒体を前記送り込みローラに押し付けるための押さえローラと、
前記送り込みローラおよび前記押さえローラによるシート状媒体の挟み込み位置を通過した後のシート状媒体の部分を前記送り込みローラに向けて押し付けるための押さえレバーとを有していることを特徴としている。
【０００９】
本発明によれば、シート状媒体は、送り込みローラおよび押さえローラの挟み込み位置を通過し終えた後においても、押さえレバーによって送り込みローラの側に押し付けられている。したがって、シート状媒体に送り込みを阻止する方向の負荷が作用したとしても、当該シート状媒体の後端側の部分が送り込みローラから横方に外れることを阻止できる。よって、シート状媒体は送り込みローラによって、確実に媒体収納部に送り込まれる。
【００１０】
ここで、押さえレバーを送り込みローラに押し付けるための機構としては、前記押さえレバーを、前記押さえローラの回転軸を中心として前記送り込みローラに対して接近および離間方向に回動可能に支持している支持板と、前記押さえレバーを、前記送り込みローラに向けて付勢している付勢部材とを備えた構成を採用することができる。
【００１１】
また、押さえレバーによってシート状媒体の後端部分が確実に送り込みローラに係合した状態が形成されるようにするためには、前記押さえレバーにおける回動側の先端部分に、前記送り込みローラの外周面部分に対応する凹円弧状の押さえ面を形成し、当該押さえ面を、前記挟み込み位置よりも送り込み方向の下流側の前記送り込みローラの外周面部分に対峙させるようにすればよい。また、このようにすれば、押さえレバーによってシート状媒体の後端部分が横方に押され、後続のシート状媒体媒体の送り込み経路から側方に押し出される。よって、後続のシート状媒体の先端が既に収納されているシート状媒体の後端に当って送り込みができなくなることを確実に回避できる。
【００１２】
次に、本発明の媒体収納装置では、前記送り込みローラは、ローラ本体と、当該ローラ本体の両端に同軸状態に形成され、当該ローラ本体よりも大きな径の大径部分とを備え、前記押さえローラは、そのローラ長が前記ローラ本体よりも短く、そのローラ径が前記ローラ本体よりも小さく、前記ローラ本体に前記押さえローラが押し付けられている構成とすることができる。
【００１３】
このようにすれば、シート状媒体が送り込みローラと押さえローラとの間に挟まれて媒体収納部に送り込まされる際に、当該シート状媒体が「く」の字に撓められた状態になる。この結果、シート状媒体の面外方向の剛性が高くなり、送り込まれるシート状媒体に「腰」ができ、折れ曲がりにくくなる。この結果、薄いシート状媒体あるいは腰の弱いシート状媒体であっても確実に媒体収納部に送り込むことができる。
【００１４】
ここで、前記送り込みローラの前記大径部分に、その円周方向に沿って所定の間隔で突起を形成しておけば、これらの突起とシート状媒体の後端との機械的な係合によって、シート状媒体を確実に媒体収納部に送り込むことができる。
【００１５】
次に、本発明の媒体収納装置において、前記挟み込み位置から前記媒体収納部に送り込まれるシート状媒体を、当該シート状媒体の送り込み方向に対して前記送り込みローラの側に傾斜した方向に導く傾斜ガイド面を有し、前記媒体収納部は、前記傾斜ガイド面に連続して前記送り込み方向に平行な方向に延びている媒体ガイド面と、当該媒体収納部に送り込まれたシート状媒体を前記媒体ガイド面の側に押し付けるための媒体押さえ部材とを備えていることが望ましい。
【００１６】
送り込みローラによって送り込まれるシート状媒体は、傾斜ガイド面に沿って送り込まれるので、媒体収納部の媒体ガイド面と媒体押さえ部材の間に収納されているシート状媒体に対して斜めの方向から送り込まれる。よって、既に収納されているシート状媒体の後端に衝突しないように、シート状媒体を送り込むことができる。
【００１７】
次に、本発明は媒体処理装置に関するものであり、シート状媒体を搬送する搬送路と、この搬送路に沿って搬送されるシート状媒体に担持されている情報を読み取るための情報読取手段と、前記搬送路から排出される情報読取後のシート状媒体を収納するための媒体収納装置とを有し、当該媒体収納装置は上記構成の媒体収納装置であることを特徴としている。
【００１８】
本発明の媒体処理装置では、処理済みのシート状媒体をジャミングさせることなく、確実に媒体収納装置に収納することができる。よって、シート状媒体の処理動作を効率良く行うことができる。
【発明の効果】
【００１９】
本発明によれば、シート状媒体は、送り込みローラおよび押さえローラによる挟み込み位置を通過し終えた後においても、押さえレバーによって送り込みローラの側に押し付けられている。したがって、シート状媒体に送り込みを阻止する方向の負荷が作用したとしても、当該シート状媒体の後端側の部分が送り込みローラから横方に外れることがない。よって、シート状媒体は送り込みローラによって確実に媒体収納部に送り込まされる。このため、媒体収納部に完全に収納されなかったシート状媒体の後端部分、あるいは、送り込み時に横方に折り曲げられたシート状媒体の後端部分に、後続のシート状媒体の先端が当って当該後続のシート状媒体を媒体収納部に送り込めないという弊害を防止できる。
【発明を実施するための最良の形態】
【００２０】
以下に、図面を参照して、本発明を適用した媒体収納装置を備えた小切手処理装置の実施の形態を説明する。
【００２１】
（全体構成）
図１は本実施の形態に係る小切手処理装置の外観斜視図であり、図２はその平面図である。小切手処理装置１は、本体ケース２と、この上側に被せた蓋ケース３とを備えており、この内部に各部品が組み込まれた構成となっている。蓋ケース３には細幅の垂直溝からなる小切手４（シート状媒体）の搬送路５が形成されている。搬送路５は上から見た場合に全体としてＵ形状をしており、直線状の上流側搬送路部分６と、これに連続する湾曲状搬送路部分７と、これに連続する僅かに屈曲した下流側搬送路部分８とを備えている。
【００２２】
上流側搬送路部分６の上流端は広幅の垂直溝からなる小切手挿入部９に連通している。下流側搬送路部分８の下流端は小切手収納装置１０に連通している。小切手収納装置１０は、下流側搬送路部分８の下流端から左右に分岐している分岐路１０ａ、１０ｂと、これらに連通している広幅の垂直溝からなる第１および第２小切手収納部１１、１２とを備えている。
【００２３】
読取対象の小切手４は、その表面４ａの下端部分に磁気インク文字４Ａが印刷されている。また、表面４ａには、所定の模様の背景に、金額、振出人、番号、サインなどが記載されており、裏面４ｂには裏書き欄などが設けられている。
【００２４】
図３は小切手処理装置１の内部機構を示す説明図である。この図に示すように、小切手挿入部９には、ここに積層状態で挿入された小切手４を搬送路５に向けて送り出すための繰り出しローラ１３と、小切手４を繰り出しローラ１３に押し付けるための押し付け部材１４とが配置されている。また、繰り出しローラ１３によって繰り出された小切手４を搬送路５に送り出すための送り出し通路１５には、１枚ずつに分離して搬送路５に送り出すための分離機構として、分離パッド１６と、分離ローラ１７およびリタードローラ１８からなる分離ローラ対が配置されている。繰り出しローラ１３、分離ローラ１７および押し付け部材１４は、例えば送り出しモータ１９によって駆動されるようになっている。
【００２５】
次に、小切手４を搬送路５に沿って搬送する搬送機構は、搬送モータ２１と、この搬送モータ２１の回転軸に取り付けた駆動ローラ２２と、搬送路５に沿って配置されている搬送ローラ３１〜３７と、各搬送ローラ３１〜３７に押し付けられて連れ回りする押さえローラ４１〜４６および第２送り込みローラ４７を備えている。第２送り込みローラ４７の回転は、伝達歯車４８を介して、第１送り込みローラ４９に伝達されるようになっている。搬送モータ２１の回転は無端ベルト２３を介して各搬送ローラ３１〜３７に伝達されるようになっている。
【００２６】
搬送ローラ３１〜３４は、上流側搬送路部分６における上流端、その中程の位置、および湾曲状搬送路部分７との境界位置にそれぞれ配置されている。搬送ローラ３５は湾曲状搬送路部分７における下流側の位置に配置されている。搬送ローラ３６は、下流側搬送路部分８における中程の位置に配置されており、搬送ローラ３７は第２小切手収納部１２の手前に配置されている。第１送り込みローラ４９は第１小切手収納部１１の手前に配置されている。
【００２７】
上流側搬送路部分６における搬送ローラ３１、３２の間には、磁気インク文字着磁用の磁石５１が配置されている。搬送ローラ３２、３３の間には、表面画像読取手段としての表面側コンタクトイメージスキャナ５２および裏面画像読取手段としての裏面側コンタクトイメージスキャナ５３が配置されている。搬送ローラ３３、３４の間には、磁気インク文字読取用の磁気ヘッド５４が配置されている。
【００２８】
下流側搬送路部分８における搬送ローラ３６の下流側には印刷機構５６が配置されている。印刷機構５６は小切手４に押圧される印刷位置と、この印刷位置から後退した待機位置の間を、駆動用モータ（図示せず）によって移動可能となっている。印刷機構５６は、プランジャにより押されて小切手４に印刷するようなスタンプ機構でもよい。
【００２９】
下流側搬送路部分８の下流端から分岐している分岐路１０ａ、１０ｂには、不図示の駆動モータによって切り替え操作される切り替え板６６が配置されている。切り替え板６６によって、小切手４は第１、第２小切手収納部１１、１２の一方に排出される。
【００３０】
（小切手処理動作）
小切手処理装置１における小切手４の処理動作の概要を説明する。小切手挿入部９に挿入された小切手４は繰り出しローラ１３によって送り出し通路１５に送り出されて、ここを経由して搬送路５の上流側搬送路部分６に一枚ずつ送り出される。上流側搬送路部分６に送り出された小切手４は、表面側コンタクトイメージスキャナ５２および裏面側コンタクトイメージスキャナ５３によってその表面画像および裏面画像が読み取られながら搬送される。次に、磁気ヘッド５４によってその磁気インク文字が読み取られながら搬送される。
【００３１】
表面側コンタクトイメージスキャナ５２、裏面側コンタクトイメージスキャナ５３および磁気ヘッド５４による読取が正常に行われた小切手４については、下流側搬送路部分８に配置されている印刷機構５６によって、その表面に「電子決済済み」などの印刷が行われ、小切手収納装置１０の第１小切手収納部１１の側に排出される。読取が正常に行われなかった小切手４は、印刷機構５６による印刷を行うことなく、小切手収納装置１０の第２小切手収納部１２の側に排出される。
【００３２】
（小切手収納装置）
図４、図５および図６は小切手処理装置１の小切手収納装置１０を取り出して示す図である。図４は小切手収納装置１０の平面図であり、図５（ａ）は小切手収納装置１０を後側から見た場合の斜視図であり、図５（ｂ）は小切手収納装置１０を小切手送り込み側から見た場合の斜視図であり、図６は小切手収納装置１０を裏面側から見た場合の斜視図である。
【００３３】
小切手収納装置１０は、分岐路１０ａ、１０ｂを介して下流側搬送路部分８に連通している第１および第２小切手収納部１１、１２と、切り替え板６６とを備えている。また、分岐路１０ａを経由して第１小切手収納部１１に小切手４を送り込むための第１送り込みローラ４９と、分岐路１０ｂを経由して第２小切手収納部１２に小切手４を送り込むための第２送り込みローラ４７とを備えている。第２送り込みローラ４７は搬送ローラ３７に押し付けられて連れ回りするようになっており、第２送り込みローラ４７の回転が、伝達歯車４８を介して第１送り込みローラ４９に伝達されるようになっている。
【００３４】
第１小切手収納部１１は、一定の間隔で対峙している左右の垂直側壁７１、７２と、前側垂直端壁７３とを備え、上方および後方が開口している細長い箱型形状をしている。内側の垂直側壁７１と前側垂直端壁７３の間には小切手４が送り込まれる小切手送り込み口７６が形成されている。左右の垂直側壁７１、７２の間には、送り込まれた小切手４を垂直側壁７１に押し付けるための長方形の押さえ板７４が配置されている。押さえ板７４は例えばプラスチック製であり、下端部分に取り付けられた捻りコイルバネ７５の付勢力によって常に垂直側壁７１の側に押し付けられている。
【００３５】
第１送り込みローラ４９は、第１小切手収納部１１の小切手送り込み口７６の手前側に配置されている。第１送り込みローラ４９はローラ本体４９ａを備え、このローラ本体４９ａの両端には、ローラ本体４９ａよりも大径の歯車部分４９ｂが同軸状に形成されている。ローラ本体４９ａには、その軸線方向の中央部分に、押さえローラ８０が押し付けられて連れ回りするようになっている。
【００３６】
ここで、図７（ａ）は第１送り込みローラ４９および押さえローラ８０を取り出して示す斜視図であり、図７（ｂ）は押さえローラ８０のみを示す斜視図である。これらの図も参照して説明すると、押さえローラ８０は、回転軸８１と、この回転軸８１に一定の間隔を開けて同軸状に取り付けた２つの小径ローラ８２、８３とを備えている。回転軸８１の上下の端は板ばねからなる支持板８４によって支持され、支持板８４によって小径ローラ８２、８３はローラ本体４９ａに押し付けられている。２つの小径ローラ８２、８３は同一径であり、その径は、第１送り込みローラ４９のローラ本体４９ａの径よりも小さい。また、小径ローラ８２、８３の外側端面間の距離は、ローラ本体４９ａよりも短い。この結果、図８に示すように小切手４の断面形状を「く」の字にしながら、安定的に搬送することができる。
【００３７】
２つの小径ローラ８２、８３の間には、回転軸８１を中心として第１送り込みローラ４９へ接近する方向および離れる方向へ回動可能な押さえレバー８５が取り付けられている。押さえレバー８５は、ローラ本体４９ａの外周面部分に対応する凹円弧形状の押さえ面８５ａを備えている。当該押さえ面８５ａは、第１送り込みローラ４９と押さえローラ８０による小切手挟み込み位置４９Ａから９０度の角度範囲で、ローラ本体４９ａの外周面部分に対峙している。この構成の押さえレバー８５は、押さえローラ８０の回転軸８１に取り付けられた捻りコイルバネ８６によって第１送り込みローラ４９に向けて付勢されている。
【００３８】
次に、第１小切手収納部１１の内側の垂直側壁７１は、第１送り込みローラ４９および押さえローラ８０による小切手挟み込み位置４９Ａに対して、第１送り込みローラ４９の側に位置しており、これらのローラ４９、８０による小切手送り込み方向８０ａに平行に延びている。この垂直側壁７１と小切手挟み込み位置４９Ａとの間には、当該小切手送り込み位置４９Ａを通過して送り込まれる小切手４を垂直側壁７１に向けて案内するための傾斜案内壁７１ａが形成されている。
【００３９】
図８は、垂直側壁７１、傾斜案内壁７１ａおよび小切手送り込み位置４９Ａの配置関係を示す模式図である。この図に示すように、傾斜案内壁７１ａは、小切手送り込み方向８０ａに対して３０度から３５度の角度で傾斜している。
【００４０】
ここで、小切手挟み込み位置４９Ａから、傾斜案内壁７１ａと垂直側壁７１が交差する角７１ｂまでの距離が短い程、ここを通過する小切手４の座屈荷重を大きくすることができる。例えば、ローラ本体４９ａの半径が５ｍｍで、傾斜案内壁７１ａの傾斜角度が３０〜３５度の場合には、小切手挟み込み位置４９Ａから角７１ｂまでの距離を約２ｃｍ程度まで短くして、送り込まれる小切手４の座屈荷重を高めることが望ましい。
【００４１】
次に、第２小切手収納部１２も基本構成は第１小切手収納部１１と同様である。すなわち、第２小切手収納部１２は内部に押さえ板９４を備えており、その小切手送り込み側の端には小切手送り込み口９６が形成されており、この小切手送り込み口９６の手前には第２送り込みローラ４７が配置されている。第２送り込みローラ４７はローラ本体４７ａと歯車部分４７ｂとを備えている。ローラ本体４９ａには押さえローラ９０が押し付けられており、押さえローラ９０は、回転軸９１と、この上下の端に同軸状に取り付けた２つの小径ローラ９２、９３とを備えている。２つの小径ローラ９２、９３の間には、押さえレバー９５が取り付けられている。また、小切手送り込み口９６には角９６ｂを有する傾斜案内壁９６ａが形成されている。
【００４２】
これらの押さえ板９４、第２送り込みローラ４７、押さえローラ９０、押さえレバー９５および傾斜案内壁９６ａは、それぞれ、第１小切手収納部１１の押さえ板７４、第１送り込みローラ４９、押さえローラ８０、押さえレバー８５および傾斜案内壁７１ａと同様の構成となっているので、それらの説明は省略する。
【００４３】
（小切手の収納動作）
図９は小切手送り込み動作中における小切手収納装置１０を小切手送り込み側から見た場合の正面図であり、図１０（ａ）〜（ｄ）は小切手送り込み動作中における小切手収納装置１０を示す平面図である。これらの図を参照して小切手４を小切手収納装置１０に送り込む動作を説明する。なお、第１小切手収納部１１への小切手４の送り込み動作と第２小切手収納部１２への小切手排出動作は同一なので、第１小切手収納部１１への小切手送り込み動作のみを説明する。
【００４４】
まず、小切手４が分岐路１０ａに搬送されてくると、回転している第１送り込みローラ４９と押さえローラ８０との間に小切手４が挟み込まれ、第１小切手収納部１１に向けて小切手４が送り込まれる。小切手４がこれらに挟み込まれた状態では、押さえローラ８０が小切手４の裏面４ｂの略中央部分をローラ本体４９ａへと押し付け、小切手４の表面４ａの上下の端が歯車部分４９ｂに当り、ローラ本体４９ａの外周面から離れる方向に撓む。この結果、図９に示すように、小切手４の断面形状は「く」の字になる。このため、小切手４は面外方向の剛性が高まり、腰ができて折れ曲がりにくい状態で送り込まれる。
【００４５】
小切手４は「く」の字に折れ曲がった状態で送り込まれると、その先端部分４ｃが傾斜案内壁７１ａに沿って案内されて、小切手送り込み方向８０ａに対して斜めの方向に進む。そして、図１０（ａ）に示すように、小切手４の裏面４ｂが傾斜案内壁７１ａの角７１ｂに接触し、当該角７１ｂによって側方から支えられた状態で押さえ板７４を押し出しながら、押さえ板７４と垂直側壁７１の間に送り込まれる。
【００４６】
ここで、小切手４は、その後端部分４ｄが第１送り込みローラ４９と押さえローラ８０による小切手挟み込み位置４９Ａを通過し終えた後においても、図１０（ｂ）に示すように、押さえレバー８５によってその後端部分４ｄが第１送り込みローラ４９の側に押し付けられている。このため、小切手４の後端部分４ｄが第１送り込みローラ４９の両端の歯車部分から外れることがない。よって、図１０（ｃ）、１０（ｄ）に示すように、小切手４は第１送り込みローラ４９によって確実に第１小切手収納部１１の側に送り込まれる。
【００４７】
以上説明したように、小切手４が第１送り込みローラ４９および押さえローラ８０による小切手挟み込み位置４９Ａを通過した後においても、当該小切手４の後端部分４ｄが押さえレバー８５によって第１送り込みローラ４９に押し付けられている。よって、小切手４の送り込み動作が継続して行なわれる。また、送り込み動作が終了する時に、小切手４の後端部分４ｄが押さえレバー８５および、回転している歯車部分４９ｂによって横方向へ移動させられる。よって、次に送り込まれる小切手４の先端部分４ｃが既に第１小切手収納部１１に収納されている小切手４の後端部分４ｄと衝突して、送り込みができなくなる事態を回避できる。
【００４８】
また、第１送り込みローラ４９と押さえローラ８０により小切手４を送り出す際に、小切手４を「く」の字に曲げた状態にしているので、送り出される小切手４に腰ができて、折れ曲がりにくくなる。よって、小切手４を確実に垂直側壁７１と押さえ板７４の間の収納位置に送り込むことができる。
【００４９】
さらに、小切手４が傾斜案内壁７１ａに沿って案内されて、第１小切手収納部１１に斜めに送り込まれるので、小切手４の先を既に収納されている小切手の後端部分に当てることなく確実に送り込むことができる。
【００５０】
（その他の実施の形態）
なお、上記の例は本発明を小切手処理装置の小切手収納装置として適用したものであるが、本発明は、小切手以外のシート状媒体を収納するための媒体収納装置にも同様に適用可能なことは勿論である。
【図面の簡単な説明】
【００５１】
【図１】本発明を適用した小切手処理装置の外観斜視図である。
【図２】小切手処理装置の平面図である。
【図３】小切手処理装置の内部構造を示す説明図である。
【図４】小切手収納装置の平面図である。
【図５】小切手収納装置を後側および前側から見た場合の斜視図である。
【図６】小切手収納装置を裏面側から見た場合の斜視図である。
【図７】第１送り込みローラと押さえローラを示す斜視図、および押さえローラのみを示す斜視図である。
【図８】垂直側壁、傾斜案内壁および小切手送り込み位置配置関係を示す模式図である。
【図９】小切手収納装置を小切手送り込み側から見た場合の正面図である。
【図１０】小切手送り込み動作を示す小切手収納装置の平面図である。
【符号の説明】
【００５２】
１  小切手処理装置、２  本体ケース、３  蓋ケース、４  小切手、５  搬送路、６  上流側搬送路部分、７  湾曲状搬送路部分、８  下流側搬送路部分、９  小切手挿入部、１０  小切手収納装置、１０ａ，１０ｂ  分岐路、１１  第１小切手収納部、１２  第２小切手収納部、１３  繰り出しローラ、１４  押し付け部材、１５  送り出し通路、１６  分離パッド、１７  分離ローラ、１８  リタードローラ、１９  送り出しモータ、２１  搬送モータ、２２  駆動ローラ、２３  無端ベルト、２４〜２７  ガイドローラ、３１〜３７  搬送ローラ、４１〜４６  押さえローラ、４７  第２送り込みローラ、４７ａ，４９ａ  ローラ本体、４７ｂ，４９ｂ  歯車部分、４９Ａ  小切手挟み込み位置、４８  伝達歯車、４９  第１送り込みローラ、５１  磁石、５２  表面側コンタクトイメージスキャナ、５３  裏面側コンタクトイメージスキャナ、５４  磁気ヘッド、５６  印刷機構、７１，７２  垂直側壁、７３  垂直端壁、７１ａ，９６ａ  傾斜案内壁、７１ｂ，９６ｂ  角、７４，９４  押さえ板、７６，９６  小切手送り込み口、８０ａ  小切手送り込み方向、８０，９０  押さえローラ、８２，８３，９２，９３  小径ローラ、８５，９５  押さえレバー、８５ａ  押さえ面、８４  支持板
【図１】
2008213988.tif 000003
【図２】
2008213988.tif 000004
【図３】
2008213988.tif 000005
【図４】
2008213988.tif 000006
【図５】
2008213988.tif 000007
【図６】
2008213988.tif 000008
【図７】
2008213988.tif 000009
【図８】
2008213988.tif 000010
【図９】
2008213988.tif 000011
【図１０】
2008213988.tif 000012